(57)【要約】【課題】品質測定に関するユーザ装置の負荷を低減することを目的とする。【解決手段】本発明は、ユーザ装置及び品質測定方法を開示する。本発明の一形態によれば、複数のコンポーネントキャリアを用いた通信をサポートする無線通信システムにおけるユーザ装置は、いずれかのコンポーネントキャリアの周波数における品質測定を有効化又は無効化する設定情報を受信する受信部と、前記設定情報に基づいて、品質測定を行う品質測定部とを有する。【選択図】図２
2019140631.tif 000002
【特許請求の範囲】
【請求項１】
複数のコンポーネントキャリアを用いた通信をサポートする無線通信システムにおけるユーザ装置であって、
いずれかのコンポーネントキャリアの周波数における品質測定を有効化又は無効化する設定情報を受信する受信部と、
前記設定情報に基づいて、品質測定を行う品質測定部と、
を有するユーザ装置。
【請求項２】
前記設定情報は、いずれかのコンポーネントキャリアの周波数における周辺セルの品質測定を有効化又は無効化する設定情報であり、
前記品質測定部は、サービングセルの品質測定を行い、品質測定が有効化されている周辺セル、又は品質測定が無効化されていない周辺セルの品質測定を行う、請求項１に記載のユーザ装置。
【請求項３】
前記設定情報は、いずれかのコンポーネントキャリアの周波数において特定の信号を用いた周辺セルの品質測定を有効化又は無効化する設定情報であり、
前記品質測定部は、サービングセルの品質測定を行い、特定の信号を用いた品質測定が有効化されている周辺セル、又は特定の信号を用いた品質測定が無効化されていない周辺セルの品質測定を、特定の信号を用いて行う、請求項１又は２に記載のユーザ装置。
【請求項４】
前記設定情報は、いずれかのコンポーネントキャリアの周波数における周辺セルの品質測定を無効化する設定情報であり、
前記品質測定部は、周辺セルの品質測定結果を用いた報告トリガーが設定されていない場合、品質測定が無効化されている周辺セルの品質測定を行わず、周辺セルの品質測定結果を用いた報告トリガーが設定されている場合、周辺セルの品質測定を無効化する設定情報を受信したとしても、当該周辺セルの品質測定を行う、請求項１乃至３のうちいずれか１項に記載のユーザ装置。
【請求項５】
前記設定情報は、いずれかのコンポーネントキャリアの周波数において特定の信号を用いたサービングセル及び周辺セルの品質測定を有効化又は無効化する設定情報であり、
前記品質測定部は、特定の信号を用いた品質測定が有効化されているサービングセル及び周辺セル、又は特定の信号を用いた品質測定が無効化されていないサービングセル及び周辺セルの品質測定を、特定の信号を用いて行う、請求項１に記載のユーザ装置。
【請求項６】
複数のコンポーネントキャリアを用いた通信をサポートする無線通信システムにおけるユーザ装置における品質測定方法であって、
いずれかのコンポーネントキャリアの周波数における品質測定を有効化又は無効化する設定情報を受信するステップと、
前記設定情報に基づいて、品質測定を行うステップと、
を有する品質測定方法。
【発明の詳細な説明】
【技術分野】
【０００１】
本発明は、ユーザ装置及び品質測定方法に関する。
【背景技術】
【０００２】
ＬＴＥ（Long Term Evolution）システムでは、所定の帯域幅（最大２０ＭＨｚ）を基本単位として、複数のキャリアを同時に用いて通信を行うキャリアアグリゲーション（ＣＡ：Carrier Aggregation）が採用されている。キャリアアグリゲーションにおいて基本単位となるキャリアはコンポーネントキャリア（ＣＣ：Component Carrier）と呼ばれる。
【０００３】
ＣＡが行われる際には、ユーザ装置に対して、接続性を担保する信頼性の高いセルであるＰＣｅｌｌ（Primary Cell：プライマリセル）及び付随的なセルであるＳＣｅｌｌ（Secondary Cell：セカンダリセル）が設定される。ユーザ装置は、第１に、ＰＣｅｌｌに接続し、必要に応じて、ＳＣｅｌｌを追加することができる。ＰＣｅｌｌは、ＲＬＭ（Radio Link Monitoring）及びＳＰＳ（Semi-Persistent Scheduling）等をサポートする単独のセルと同様のセルである。
【０００４】
ＳＣｅｌｌは、ＰＣｅｌｌに追加されてユーザ装置に対して設定されるセルである。ＳＣｅｌｌの追加及び削除は、ＲＲＣ（Radio Resource Control）シグナリングによって行われる。ＳＣｅｌｌは、ユーザ装置に対して設定された直後は、非アクティブ状態（deactivate状態）であるため、アクティブ化することで初めて通信可能（スケジューリング可能）となるセルである。
【０００５】
ＬＴＥのＲｅｌ−１０までのＣＡでは、同一基地局ｅＮＢ配下の複数のＣＣを用いている。一方、Ｒｅｌ−１２ではこれを拡張し、異なる基地局ｅＮＢ配下のＣＣを用いて同時通信を行い、高スループットを実現するデュアルコネクティビティ（ＤＣ：Dual Connectivity）が提案されている（非特許文献１参照）。つまり、ＤＣでは、ＵＥは、２つの物理的に異なる基地局ｅＮＢの無線リソースを同時に使用して通信を行う。
【０００６】
また、ＬＴＥでは、ユーザ装置が、ハンドオーバ時のセル選択処理、ＣＡ／ＤＣ時のＣＣ追加・削除・変更処理等の観点で、サービングセル（Serving Cell）及び周辺セル（Neighbor Cell）の品質を測定して基地局に報告することが規定されている。これはメジャメント（Measurement）とも呼ばれる。
【先行技術文献】
【非特許文献】
【０００７】
【非特許文献１】３ＧＰＰ  ＴＳ３６．３３１  Ｖ１２．７．０（２０１５−０９）
【発明の概要】
【発明が解決しようとする課題】
【０００８】
現在、３ＧＰＰ（Third Generation Partnership Project）において、ＬＴＥシステム及びＬＴＥ−Ａｄｖａｎｃｅｄシステムの後継として、ＮＲ（New Radio Access Technology）システムと呼ばれる新たな無線通信システムの仕様策定が進められている。
【０００９】
ＮＲシステムでは、高周波数帯での伝搬ロスを補うためにビームフォーミングが適用されることが検討されており、基地局は、ユーザ装置での受信品質が良好になるように送信ビームの方向を決定することができ、ユーザ装置は、基地局からの受信品質が良好になるように受信ビームの方向を決定することができる。しかし、キャリアアグリゲーションが行われている場合に、ユーザ装置があるコンポーネントキャリアに対して受信ビームを向けて品質測定を行うと、他のコンポーネントキャリアの品質測定を適切に行うことができない場合がある。このような不適切な品質測定は、ユーザ装置の負荷を増大させることになるため、ユーザ装置の負荷を低減することが望まれる。
【００１０】
なお、キャリアアグリゲーションが行われている場合にはコンポーネントキャリア数に応じてユーザ装置の品質測定の負荷が増大するため、ビームフォーミングが適用されていない場合であっても、品質測定に関するユーザ装置の負荷を低減することが望まれる。
【００１１】
そこで、本発明は、品質測定に関するユーザ装置の負荷を低減することを目的とする。
【課題を解決するための手段】
【００１２】
本発明の一形態に係るユーザ装置は、
複数のコンポーネントキャリアを用いた通信をサポートする無線通信システムにおけるユーザ装置であって、
いずれかのコンポーネントキャリアの周波数における品質測定を有効化又は無効化する設定情報を受信する受信部と、
前記設定情報に基づいて、品質測定を行う品質測定部と、
を有することを特徴とする。
【発明の効果】
【００１３】
本発明によれば、品質測定に関するユーザ装置の負荷を低減することが可能になる。
【図面の簡単な説明】
【００１４】
【図１】本発明の実施の形態に係る無線通信システムの構成を示す図である。
【図２】本発明の実施の形態に係る無線通信システムの動作を示すシーケンス図である。
【図３】本発明の実施の形態において用いられるＲＲＣメッセージの例を示す図（具体例１）である。
【図４】本発明の実施の形態において用いられるＲＲＣメッセージの例を示す図（具体例２）である。
【図５】本発明の実施の形態に係る基地局の機能構成例を示す図である。
【図６】本発明の実施の形態に係るユーザ装置の機能構成例を示す図である。
【図７】基地局又はユーザ装置のハードウェア構成の一例を示す図である。
【発明を実施するための形態】
【００１５】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の無線通信システムは、ＬＴＥシステム及びＬＴＥ−Ａｄｖａｎｃｅｄシステムの後継のＮＲシステムを想定しているが、本発明はＣＡをサポートする他の方式にも適用可能である。
【００１６】
また、本実施の形態におけるＣＡは、Ｉｎｔｒａ−ｅＮＢ  ＣＡのみならず、ＤＣのようなＩｎｔｅｒ−ｅＮＢ  ＣＡも含む。また、本発明は、Ｉｎｔｅｒ−ｂａｎｄ  ＣＡ、Ｉｎｔｒａ−ｂａｎｄ  ｎｏｎ−ｃｏｎｔｉｇｕｏｕｓ  ＣＡ、及びＩｎｔｒａ−ｂａｎｄ  ｃｏｎｔｉｇｕｏｕｓ  ＣＡのいずれにも適用可能である。
【００１７】
＜システム構成、動作概要＞
図１は、本発明の実施の形態に係る無線通信システムの構成を示す図である。本実施の形態に係る無線通信システムは、図１に示すように、基地局（ｇＮＢ又はｅＮＢとも呼ぶ）１００及びユーザ装置（ＵＥとも呼ぶ）２００を含む。基地局１００及びユーザ装置２００は、複数のＣＣを用いたＣＡを行うことが可能である。図１には、基地局１００及びユーザ装置２００が１つずつ示されているが、これは例であり、それぞれ複数であってもよい。また、ユーザ装置２００は、複数の基地局と同時に通信を行う能力（Dual Connectivity）を備えていてもよい。
【００１８】
基地局１００は、１つまたは複数（例えば、３つ）の（セクタとも呼ばれる）セルを収容することができる。基地局１００が複数のセルを収容する場合、基地局１００のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」「ｅＮＢ」、「セル」、および「セクタ」という用語は、本明細書では互換的に使用され得る。基地局１００は、固定局（fixed station）、NodeB、eNodeB（eNB）、アクセスポイント（access point）、フェムトセル、スモールセルなどの用語で呼ばれる場合もある。
【００１９】
ユーザ装置２００は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００２０】
ユーザ装置２００が基地局１００と無線リンクを確立している場合、基地局１００のセルはサービングセル（Serving Cell）と呼ばれる。サービングセルに隣接しているセルは周辺セル（Neighbor Cell）と呼ばれる。ＣＡの場合、サービングセルには、ＰＣｅｌｌとＳＣｅｌｌが含まれる。ユーザ装置２００は、基地局１００からの指示に従って、サービングセル及び周辺セルのＲＳＲＰ（Reference Signal Received Power）、ＲＳＲＱ（Reference Signal Received Quality）、ＳＩＮＲ（Signal to Interference-plus-Noise Ratio）等の品質測定を行い、品質測定結果を基地局１００に報告する。なお、ＲＳ（Reference Signal）は参照信号とも呼ばれ、適用される標準によってパイロット（Pilot）と呼ばれてもよい。
【００２１】
図２は、本発明の実施の形態に係る無線通信システムの動作を示すシーケンス図である。図２を参照して図１に示す無線通信システムの基本的な動作を説明する。
【００２２】
ステップＳ１１において、基地局１００は、１つ又は複数のＣＣの周波数における品質測定を有効化／無効化する設定情報を、ユーザ装置２００に送信する。
【００２３】
サービングセルのうちＰＣｅｌｌはユーザ装置に対して接続性を担保するセルであるため、品質測定の有効化／無効化は、ＳＣｅｌｌの周波数に対して行われてもよい。また、サービングセルのレイヤ１測定は、ＣＱＩ（Channel Quality Indicator）をユーザ装置２００から基地局１００に報告するために必要となるため、品質測定の有効化／無効化は、周辺セルに対して行われてもよい。
【００２４】
まず、ＳＣｅｌｌの周辺セルの品質測定を有効化／無効化する例について説明する。なお、セルの品質測定の有効化／無効化とは、セルの品質測定を明示的に有効化することを意味してもよく、品質測定が有効化されていないセルの品質測定は無効化されているとみなしてもよい。或いは、セルの品質測定の有効化／無効化とは、セルの品質測定を明示的に無効化することを意味してもよく、品質測定が無効化されていないセルの品質測定は有効化されているとみなしてもよい。
【００２５】
周辺セルの品質測定には、セル内のある範囲のユーザ装置に対して送信される同期信号及びブロードキャストチャネルの１単位であるＳＳ  Ｂｌｏｃｋ（Synchronization Signal Block）を用いた品質測定と、特定のユーザ装置に対して送信されるＣＳＩ−ＲＳ（Channel State Information Reference Signal）を用いた品質測定が存在する。基地局１００は、ＳＣｅｌｌの周波数において、ＳＳ  Ｂｌｏｃｋを用いた周辺セルの品質測定と、ＣＳＩ−ＲＳを用いた周辺セルの品質測定の両方を有効化／無効化してもよい。基地局１００は、必ずしも両方の信号を用いた品質測定結果を必要とするとは限らず、例えば、基地局１００が一方の信号を用いた品質測定結果を取得できればよい場合、他方の信号を用いた品質測定を無効化できる。この場合、基地局１００は、ＳＣｅｌｌの周波数において、ＳＳ  Ｂｌｏｃｋを用いた周辺セルの品質測定のみを有効化／無効化してもよく、ＣＳＩ−ＲＳを用いた周辺セルの品質測定のみを有効化／無効化してもよい。
【００２６】
また、ＳＣｅｌｌに対してサービングセルの品質測定結果のみを用いた報告トリガーが設定されている場合（すなわち、周辺セルの品質測定結果を用いた報告トリガーが設定されていない場合）が考えられる。例えば、Ｅｖｅｎｔ  Ａ１は、サービングセルの受信品質が所定の閾値を超えた場合の報告トリガーである。Ｅｖｅｎｔ  Ａ２は、サービングセルの受信品質が所定の閾値未満になった場合の報告トリガーである。Ｅｖｅｎｔ  Ａ１及び／又はＥｖｅｎｔ  Ａ２のみが設定されている場合、基地局１００は、周辺セルの品質測定を無効化してもよい。
【００２７】
基地局１００からユーザ装置２００への設定情報は、ＲＲＣ（Radio Resource Control）メッセージによって通知されてもよく、ＭＡＣ  ＣＥ（Mac Control Element）によって通知されてもよい。
【００２８】
ステップＳ１２において、ユーザ装置２００は、基地局１００から受信した設定情報に基づいて、品質測定を行う。
【００２９】
ここでは、周辺セルの品質測定を有効化／無効化する例について検討しているため、サービングセルの品質測定は通常通り行われ、ユーザ装置２００は、品質測定が有効化されている周辺セル（又は品質測定が無効化されていない周辺セル）の品質測定を行う。
【００３０】
ユーザ装置２００の品質測定には、レイヤ１測定と、レイヤ３測定が存在する。レイヤ３測定は、ＲＲＭ（Radio Resource Measurement）測定と呼ばれてもよい。ユーザ装置２００は、レイヤ１測定の測定結果をフィルタリング又は平均化することにより、レイヤ３測定を行う。ユーザ装置２００は、基地局１００からの設定情報に従って、レイヤ３測定の実施を判断してもよく、レイヤ３測定を実施する／実施しない場合には、それに伴ってレイヤ１測定を実施する／実施しないと判断してもよい。
【００３１】
基地局１００から、あるＣＣの周波数における周辺セルの品質測定を有効化又は無効化する設定情報を受信した場合、ユーザ装置２００は、サービングセル及び品質測定が有効化されている周辺セル（又は品質測定が無効化されていない周辺セル）の品質測定を行う。ユーザ装置２００は、品質測定が無効化されている周辺セル（又は品質測定が有効化されていない周辺セル）の品質測定を行わない。
【００３２】
また、ＳＳ  Ｂｌｏｃｋ及びＣＳＩ−ＲＳの両方を用いた周辺セルの品質測定が有効化されている場合（又は無効化されていない場合）、当該周辺セルの品質測定を、ＳＳ  Ｂｌｏｃｋ及びＣＳＩ−ＲＳの両方を用いて行い、無効化されている場合、当該周辺セルの品質測定を行わない。或いは、ＳＳ  Ｂｌｏｃｋを用いた周辺セルの品質測定のみが有効化されている場合（又は無効化されていない場合）、ＳＳ  Ｂｌｏｃｋを用いた当該周辺セルの品質測定を行い、ＳＳ  Ｂｌｏｃｋを用いた周辺セルの品質測定のみが無効化されている場合（又は有効化されていない場合）、ＳＳ  Ｂｌｏｃｋを用いた当該周辺セルの品質測定を行わない。一方、ＣＳＩ−ＲＳを用いた周辺セルの品質測定のみが有効化されている場合（又は無効化されていない場合）、ＣＳＩ−ＲＳを用いた当該周辺セルの品質測定を行い、ＣＳＩ−ＲＳを用いた周辺セルの品質測定のみが無効化されている場合（又は有効化されていない場合）、ＣＳＩ−ＲＳを用いた当該周辺セルの品質測定を行わない。
【００３３】
また、Ｅｖｅｎｔ  Ａ１及び／又はＥｖｅｎｔ  Ａ２のように、サービングセルの品質測定結果のみを用いた報告トリガーのみがユーザ装置２００に設定されており（すなわち、周辺セルの品質測定結果を用いた報告トリガーがユーザ装置２００に設定されていない）、ユーザ装置２００が基地局１００から周辺セルの品質測定を無効化する設定情報を受信した場合、当該周辺セルの品質測定を無効化できる。一方、周辺セルの品質測定結果を用いた報告トリガーが設定されている場合には、基地局１００から周辺セルの品質情報を無効化する設定情報を受信したとしても、当該周辺セルの品質測定を行ってもよい。
【００３４】
ステップＳ１３において、ユーザ装置２００は、基地局１００から予め指定されるタイミングで品質測定結果を基地局１００に送信する。なお、ステップＳ１３の処理手順は、既存のＬＴＥで規定されているＭｅａｓｕｒｅｍｅｎｔＲｅｐｏｒｔメッセージの送信手順に該当する。基地局１００から予め指定されるタイミングとして、Ｅｖｅｎｔ  Ａ１〜Ａ６、Ｂ１、Ｂ２、Ｃ１、Ｃ２等が用いられてもよい。例えば、Ｅｖｅｎｔ  Ａ１は、サービングセルの受信品質が所定の閾値を超えた場合である。Ｅｖｅｎｔ  Ａ２は、サービングセルの受信品質が所定の閾値未満になった場合である。Ｅｖｅｎｔ  Ａ６は、隣接セルの受信品質が、ＳＣｅｌｌの受信品質に所定のオフセットを加えた値を超えた場合である。
【００３５】
なお、上記の手順においては、サービングセルの品質測定を行い、周辺セルの品質測定を無効化する例について説明したが、サービングセル及び周辺セルの両方の品質測定を無効化することも可能である。
【００３６】
例えば、ステップＳ１１において、基地局１００は、ＳＣｅｌｌの周波数において特定の信号（ＳＳ  Ｂｌｏｃｋ、ＣＳＩ−ＲＳ又はこれらの両方）を用いたサービングセル及び周辺セルの品質測定を有効化又は無効化する設定情報を、ユーザ装置２００に送信する。
【００３７】
ステップＳ１２において、ＳＳ  Ｂｌｏｃｋ及びＣＳＩ−ＲＳの両方を用いたサービングセル及び周辺セルの品質測定が有効化されている場合（又は無効化されていない場合）、当該サービングセル及び周辺セルの品質測定を、ＳＳ  Ｂｌｏｃｋ及びＣＳＩ−ＲＳの両方を用いて行い、無効化されている場合、当該周辺セルの品質測定を行わない。或いは、ＳＳ  Ｂｌｏｃｋを用いたサービングセル及び周辺セルの品質測定のみが有効化されている場合（又は無効化されていない場合）、ＳＳ  Ｂｌｏｃｋを用いた当該サービングセル及び周辺セルの品質測定を行い、ＳＳ  Ｂｌｏｃｋを用いた周辺セルの品質測定のみが無効化されている場合（又は有効化されていない場合）、ＳＳ  Ｂｌｏｃｋを用いた当該周辺セルの品質測定を行わない。一方、ＣＳＩ−ＲＳを用いたサービングセル及び周辺セルの品質測定のみが有効化されている場合（又は無効化されていない場合）、ＣＳＩ−ＲＳを用いた当該サービングセル及び周辺セルの品質測定を行い、ＣＳＩ−ＲＳを用いた周辺セルの品質測定のみが無効化されている場合（又は有効化されていない場合）、ＣＳＩ−ＲＳを用いた当該サービングセル及び周辺セルの品質測定を行わない。
【００３８】
＜具体例１＞
図３は、上記のＳ１１において基地局１００からユーザ装置２００に送信されるＲＲＣメッセージの例を示す図である。ユーザ装置２００が行う品質測定に関する設定情報は、例えば、MeasObjectNR information elementに設定される。
【００３９】
例えば、MeasObjectNRには、品質測定対象の周波数（carrierFreq）と、品質測定に用いられる信号の設定情報（referenceSignalConfig）が含まれ、referenceSignalConfigには、ＳＳ  Ｂｌｏｃｋを用いた品質測定の設定情報（ssb-MeasurementTimingConfiguration）と、ＣＳＩ−ＲＳを用いた品質測定の設定情報（csi-rs-ResourceConfig-Mobility）とが含まれる。
【００４０】
ここで、ReferenceSignalConfigの中に、ＳＳ  Ｂｌｏｃｋを用いた周辺セルの品質測定と、ＣＳＩ−ＲＳを用いた周辺セルの品質測定の両方を無効化するためのmeasNeighCellsを追加してもよい。すなわち、measNeighCellsが存在する場合、又はmeasNeighCellsがdisabledである場合、ＳＳ  Ｂｌｏｃｋを用いた周辺セルの品質測定と、ＣＳＩ−ＲＳを用いた周辺セルの品質測定の両方が無効化される。
【００４１】
また、SSB-MeasurementTimingConfigurationの中に、ＳＳ  Ｂｌｏｃｋを用いた周辺セルの品質測定を無効化するためのmeasNeighCellsSSBを追加してもよい。すなわち、measNeighCellsSSBが存在する場合、又はmeasNeighCellsSSBがdisabledである場合、ＳＳ  Ｂｌｏｃｋを用いた周辺セルの品質測定が無効化される。
【００４２】
また、CSI-RS-ResourceConfig-Mobilityの中に、ＣＳＩ−ＲＳを用いた周辺セルの品質測定を無効化するためのmeasNeighCellsCSI-RSを追加してもよい。すなわち、measNeighCellsCSI-RSが存在する場合、又はmeasNeighCellsCSI-RSがdisabledである場合、ＣＳＩ−ＲＳを用いた周辺セルの品質測定が無効化される。
【００４３】
＜具体例２＞
図４は、上記のＳ１１において基地局１００からユーザ装置２００に送信されるＲＲＣメッセージの例を示す図である。ユーザ装置２００が行う品質測定に関する設定情報は、例えば、MeasObjectNR information elementに設定される。
【００４４】
図３と同様に、MeasObjectNRには、品質測定対象の周波数（carrierFreq）と、品質測定に用いられる信号の設定情報（referenceSignalConfig）が含まれ、referenceSignalConfigには、ＳＳ  Ｂｌｏｃｋを用いた品質測定の設定情報（ssb-MeasurementTimingConfiguration）と、ＣＳＩ−ＲＳを用いた品質測定の設定情報（csi-rs-ResourceConfig-Mobility）とが含まれる。
【００４５】
ここで、SSB-MeasurementTimingConfigurationの中に、ＳＳ  Ｂｌｏｃｋを用いたサービングセル及び周辺セルの品質測定を無効化するためのmeas-SSBを追加してもよい。すなわち、meas-SSBが存在する場合、又はmeas-SSBがdisabledである場合、ＳＳ  Ｂｌｏｃｋを用いたサービングセル及び周辺セルの品質測定が無効化される。
【００４６】
また、CSI-RS-ResourceConfig-Mobilityの中に、ＣＳＩ−ＲＳを用いたサービングセル及び周辺セルの品質測定を無効化するためのmeasCSI-RSを追加してもよい。すなわち、measCSI-RSが存在する場合、又はmeasCSI-RSがdisabledである場合、ＣＳＩ−ＲＳを用いたサービングセル及び周辺セルの品質測定が無効化される。
【００４７】
＜機能構成＞
次に、これまでの説明した処理を実行可能な基地局１００及びユーザ装置２００における機能構成を説明する。
【００４８】
図５は、本発明の実施の形態に係る基地局１００の機能構成例を示す図である。図５に示すように、基地局１００は、信号送信部１０１、信号受信部１０２、生成部１０３を含む。図５は、基地局１００における主要な機能部のみを示している。また、図５に示す機能構成は一例に過ぎない。本実施の形態に係る動作を実行できるのであれば、どのような機能区分又は機能部の名称が用いられてもよい。当該基地局１００は、単独の基地局でもよいし、設定（Configuration）により、ＤＣを実行する際にはＭｅＮＢとＳｅＮＢのいずれにもなり得る。
【００４９】
信号送信部１０１は、基地局１００から送信されるべき上位のレイヤの信号から、物理レイヤの各種信号を生成し、無線送信する機能を含む。信号受信部１０２は、各ユーザ装置２００から各種の信号を無線受信し、受信した物理レイヤの信号からより上位のレイヤの信号を取得する機能を含む。信号送信部１０１及び信号受信部１０２はそれぞれ、複数のＣＣを束ねて通信を行うＣＡを実行する機能を含む。
【００５０】
信号送信部１０１及び信号受信部１０２はそれぞれ、レイヤ１（ＰＨＹ）、レイヤ２（ＭＡＣ、ＲＬＣ、ＰＤＣＰ）及びレイヤ３（ＲＲＣ）の処理を行うことを想定している。ただし、これに限られるわけではない。
【００５１】
生成部１０３は、図２のステップＳ１１において基地局１００からユーザ装置２００に送信される設定情報を生成する。なお、当該設定情報は、ＲＲＣメッセージで送信されるＩＥであってもよいし、ＭＡＣ  ＣＥであってもよい。
【００５２】
また、生成部１０３は、当該設定情報を、ＭＡＣ  ＰＤＵ（Protocol Data Unit）又はＲＲＣメッセージによりユーザ装置２００に送信するように信号送信部１０１に指示する。
【００５３】
図６は、本発明の実施の形態に係るユーザ装置２００の機能構成例を示す図である。図６に示すように、ユーザ装置２００は、信号送信部２０１、信号受信部２０２、設定情報取得部２０３と、受信品質測定部２０４とを含む。図６は、ユーザ装置２００において本発明の実施の形態に特に関連する機能部のみを示している。また、図６に示す機能構成は一例に過ぎない。本実施の形態に係る動作を実行できるのであれば、どのような機能区分又は機能部の名称が用いられてもよい。
【００５４】
信号送信部２０１は、ユーザ装置２００から送信されるべき上位のレイヤの信号から、物理レイヤの各種信号を生成し、無線送信する機能を含む。信号受信部２０２は、基地局１００から各種の信号を無線受信し、受信した物理レイヤの信号からより上位のレイヤの信号を取得する機能を含む。信号送信部２０１及び信号受信部２０２はそれぞれ、複数のＣＣを束ねて通信を行うＣＡを実行する機能を含む。
【００５５】
信号送信部２０１及び信号受信部２０２はそれぞれ、レイヤ１（ＰＨＹ）、レイヤ２（ＭＡＣ、ＲＬＣ、ＰＤＣＰ）及びレイヤ３（ＲＲＣ）の処理を行うことを想定している。ただし、これに限られるわけではない。
【００５６】
設定情報取得部２０３は、基地局１００から送信される設定情報を取得し、メモリ等に格納する。
【００５７】
受信品質測定部２０４は、設定情報取得部２０３において取得された設定情報に基づいて、基地局１００から送信される参照信号等を用いて、これらの信号の受信品質（ＲＳＲＰ／ＲＳＲＱ／ＳＩＮＲ等）の測定を行う。また、基地局１００から予め指定されているタイミングにより、品質測定結果（Ｍｅａｓｕｒｅｍｅｎｔ  Ｒｅｐｏｒｔ）を基地局１００に報告する。
【００５８】
＜ハードウェア構成＞
上記実施の形態の説明に用いたブロック図（図５及び図６）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００５９】
また、例えば、本発明の一実施の形態における基地局１００とユーザ装置２００はいずれも、本実施の形態に係る処理を行うコンピュータとして機能してもよい。図７は、本実施の形態に係る基地局１００及びユーザ装置２００のハードウェア構成の一例を示す図である。上述の基地局１００及びユーザ装置２００はそれぞれ、物理的には、プロセッサ１００１、メモリ１００２、ストレージ１００３、通信装置１００４、入力装置１００５、出力装置１００６、バス１００７などを含むコンピュータ装置として構成されてもよい。
【００６０】
なお、以下の説明では、「装置」という文言は、回路、デバイス、ユニットなどに読み替えることができる。基地局１００及びユーザ装置２００のハードウェア構成は、図に示した１００１〜１００６で示される各装置を１つ又は複数含むように構成されてもよいし、一部の装置を含まずに構成されてもよい。
【００６１】
基地局１００及びユーザ装置２００における各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００６２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Ｃｅｎｔｒａｌ  Ｐｒｏｃｅｓｓｉｎｇ  Ｕｎｉｔ）で構成されてもよい。
【００６３】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、基地局１００の信号送信部１０１と、信号受信部１０２と、生成部１０３は、メモリ１００２に格納され、プロセッサ１００１で動作する制御プログラムによって実現されてもよい。また、ユーザ装置２００の信号送信部２０１と、信号受信部２０２と、設定情報取得部２０３と、受信品質測定部２０４は、メモリ１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００６４】
メモリ１００２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＡＭ（Ｒａｎｄｏｍ  Ａｃｃｅｓｓ  Ｍｅｍｏｒｙ）などの少なくとも１つで構成されてもよい。メモリ１００２は、レジスタ、キャッシュ、メインメモリ（主記憶装置）などと呼ばれてもよい。メモリ１００２は、本発明の一実施の形態に係る処理を実施するために実行可能なプログラム（プログラムコード）、ソフトウェアモジュールなどを保存することができる。
【００６５】
ストレージ１００３は、コンピュータ読み取り可能な記録媒体であり、例えば、ＣＤ−ＲＯＭ（Ｃｏｍｐａｃｔ  Ｄｉｓｃ  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００６６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局１００の信号送信部１０１及び信号受信部１０２は、通信装置１００４で実現されてもよい。また、ユーザ装置２００の信号送信部２０１及び信号受信部２０２は、通信装置１００４で実現されてもよい。
【００６７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００６８】
また、プロセッサ１００１及びメモリ１００２などの各装置は、情報を通信するためのバス１００７で接続される。バス１００７は、単一のバスで構成されてもよいし、装置間で異なるバスで構成されてもよい。
【００６９】
また、基地局１００及びユーザ装置２００はそれぞれ、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７０】
＜実施の形態のまとめ＞
以上、説明したように、本実施の形態によれば、複数のコンポーネントキャリアを用いた通信をサポートする無線通信システムにおけるユーザ装置であって、いずれかのコンポーネントキャリアの周波数における品質測定を有効化又は無効化する設定情報を受信する受信部と、前記設定情報に基づいて、品質測定を行う品質測定部とを有するユーザ装置が提供される。
【００７１】
当該ユーザ装置は、基地局の指示に従って品質測定を無効化できるため、品質測定に関する負荷を低減することができる。
【００７２】
前記設定情報は、いずれかのコンポーネントキャリアの周波数における周辺セルの品質測定を有効化又は無効化する設定情報であり、前記品質測定部は、サービングセルの品質測定を行い、品質測定が有効化されている周辺セル、又は品質測定が無効化されていない周辺セルの品質測定を行ってもよい。
【００７３】
サービングセルのレイヤ１測定は、ＣＱＩをユーザ装置から基地局に報告するために必要となるため、サービングセルのレイヤ３測定を無効化しても、レイヤ１測定を無効化できない場合がある。したがって、品質測定の有効化／無効化は、サービングセルではなく、周辺セルを対象とすることが効率的である。
【００７４】
前記設定情報は、いずれかのコンポーネントキャリアの周波数において特定の信号を用いた周辺セルの品質測定を有効化又は無効化する設定情報であり、前記品質測定部は、サービングセルの品質測定を行い、特定の信号を用いた品質測定が有効化されている周辺セル、又は特定の信号を用いた品質測定が無効化されていない周辺セルの品質測定を、特定の信号を用いて行ってもよい。
【００７５】
周辺セルの品質測定には、ＳＳ  Ｂｌｏｃｋを用いた品質測定と、ＣＳＩ−ＲＳを用いた品質測定が存在するが、基地局は、必ずしも両方の信号を用いた品質測定結果を必要とするとは限らず、一方の信号を用いた品質測定結果を取得できればよい場合、他方の信号を用いた品質測定を無効化できる。
【００７６】
前記設定情報は、いずれかのコンポーネントキャリアの周波数における周辺セルの品質測定を無効化する設定情報であり、前記品質測定部は、周辺セルの品質測定結果を用いた報告トリガーが設定されていない場合、品質測定が無効化されている周辺セルの品質測定を行わず、周辺セルの品質測定結果を用いた報告トリガーが設定されている場合、品質測定が無効化されている周辺セルの品質測定を行ってもよい。
【００７７】
例えば、Ｅｖｅｎｔ  Ａ１及び／又はＥｖｅｎｔ  Ａ２のように、サービングセルの品質測定結果のみを用いた報告トリガーのみがユーザ装置に設定されている場合には、周辺セルの品質測定を無効化できるが、周辺セルの品質測定結果を用いた報告トリガーが設定されている場合には、基地局から周辺セルの品質情報を無効化する設定情報を受信したとしても、当該周辺セルの品質測定を行わなくてもよい。その結果、基地局からの品質測定の有効化／無効化の設定情報にかかわらず、基地局が必要とする品質測定結果を提供することが可能になる。
【００７８】
前記設定情報は、いずれかのコンポーネントキャリアの周波数において特定の信号を用いたサービングセル及び周辺セルの品質測定を有効化又は無効化する設定情報であり、前記品質測定部は、特定の信号を用いた品質測定が有効化されているサービングセル及び周辺セル、又は特定の信号を用いた品質測定が無効化されていないサービングセル及び周辺セルの品質測定を、特定の信号を用いて行ってもよい。
【００７９】
サービングセルのレイヤ１測定は、ＣＱＩをユーザ装置から基地局に報告するために必要となるため、サービングセルのレイヤ３測定を無効化しても、レイヤ１測定を無効化できない場合がある。しかし、基地局が、ＳＳ  ＢｌｏｃｋとＣＳＩ−ＲＳの両方の信号を用いた品質測定結果を必要とせず、一方の信号を用いた品質測定結果を取得できればよい場合、他方の信号を用いた品質測定を無効化できる。
【００８０】
＜実施形態の補足＞
本明細書で説明した各態様／実施例は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００８１】
本明細書で使用する「システム」および「ネットワーク」という用語は、互換的に使用される。
【００８２】
本明細書において基地局によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード（例えば、ＭＭＥまたはＳ−ＧＷなどが考えられるが、これらに限られない）によって行われ得ることは明らかである。上記において基地局以外の他のネットワークノードが１つである場合を例示したが、複数の他のネットワークノードの組み合わせ（例えば、ＭＭＥおよびＳ−ＧＷ）であってもよい。
【００８３】
情報等は、上位レイヤ（または下位レイヤ）から下位レイヤ（または上位レイヤ）へ出力され得る。複数のネットワークノードを介して入出力されてもよい。
【００８４】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００８５】
情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００８６】
判定は、１ビットで表される値（０か１か）によって行われてもよいし、真偽値（Boolean：trueまたはfalse）によって行われてもよいし、数値の比較（例えば、所定の値との比較）によって行われてもよい。
【００８７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００８８】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００８９】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００９０】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００９１】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００９２】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００９３】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００９４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９５】
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００９６】
「含む（include）」、「含んでいる（including）」、およびそれらの変形が、本明細書あるいは特許請求の範囲で使用されている限り、これら用語は、用語「備える（comprising）」と同様に、包括的であることが意図される。さらに、本明細書あるいは特許請求の範囲において使用されている用語「または（or）」は、排他的論理和ではないことが意図される。
【００９７】
本明細書で説明した各態様／実施例の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００９８】
本明細書で説明した各態様／実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００９９】
以上、本発明について詳細に説明したが、当業者にとっては、本発明が本明細書中に説明した実施例に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１００】
１００  基地局
１０１  信号送信部
１０２  信号受信部
１０３  生成部
２００  ユーザ装置
２０１  信号送信部
２０２  信号受信部
２０３  設定情報取得部
２０４  受信品質測定部
【図１】
2019140631.tif 000003
【図２】
2019140631.tif 000004
【図３】
2019140631.tif 000005
【図４】
2019140631.tif 000006
【図５】
2019140631.tif 000007
【図６】
2019140631.tif 000008
【図７】
2019140631.tif 000009